(57)【要約】      （修正有）【課題】印刷部の移動に伴って移動するケーブル部を確り保持することができる印刷装置を提供する。【解決手段】走査方向Ｂに移動し、媒体に印刷を行う印刷部と、一方の端部が印刷部と共に移動するように印刷部に接続され、他方の端部が移動しない固定部に接続されるケーブル部１７と、ケーブル部１７を保持する保持部１０と、を備え、保持部１０は、走査方向Ｂと交差する方向Ｃから見た場合にケーブル部１７に対して突出した突出部１４と、走査方向Ｂと交差する方向Ｃから見た場合にケーブル部１７に対して窪んだ陥没部１３と、を有し、突出部１４と陥没部１３とでケーブル部１７を挟むことで該ケーブル部１７を保持する。このような構成の印刷装置とすることによって、印刷部の移動に伴って移動するケーブル部１７を確り保持することが可能になる。【選択図】図１７
2017109363.tif 000002
【特許請求の範囲】
【請求項１】
走査方向に移動し、媒体に印刷を行う印刷部と、
一方の端部が前記印刷部と共に移動するように前記印刷部に接続され、他方の端部が移動しない固定部に接続されるケーブル部と、
前記ケーブル部を保持する保持部と、を備え、
前記保持部は、
前記走査方向と交差する方向から見た場合に前記ケーブル部に対して突出した突出部と、前記走査方向と交差する方向から見た場合に前記ケーブル部に対して窪んだ陥没部と、を有し、
前記突出部と前記陥没部とで前記ケーブル部を挟むことで該ケーブル部を保持することを特徴とする印刷装置。
【請求項２】
請求項１に記載の印刷装置において、
前記保持部における前記固定部側の端部には、前記ケーブル部の湾曲度合いを規制する規制部が設けられていることを特徴とする印刷装置。
【請求項３】
請求項１又は２に記載の印刷装置において、
前記ケーブル部としてフレキシブルフラットケーブルを複数備え、
前記保持部は、複数の前記フレキシブルフラットケーブルを重ねて挟むことを特徴とする印刷装置。
【請求項４】
請求項１から３のいずれか１項に記載の印刷装置において、
前記突出部及び前記陥没部は、湾曲面で構成されていることを特徴とする印刷装置。
【請求項５】
請求項４に記載の印刷装置において、
前記陥没部の曲率半径は、前記突出部の曲率半径よりも大きいことを特徴とする印刷装置。
【発明の詳細な説明】
【技術分野】
【０００１】
本発明は、印刷装置に関する。
【背景技術】
【０００２】
従来から、様々な印刷装置が使用されている。このような印刷装置のうち、走査方向に移動して媒体に印刷を行う印刷部と、該印刷部に接続されて該印刷部の移動に伴って移動するフレキシブルフラットケーブル（ＦＦＣ）などからなるケーブル部と、を備えるものが多く使用されている。  
例えば、特許文献１には、走査方向に移動して媒体に印刷を行う印刷部と、該印刷部に接続されて該印刷部の移動に伴って移動するケーブル部と、を備える印刷装置が開示されている。
【先行技術文献】
【特許文献】
【０００３】
【特許文献１】実開昭５８−３１１５５号公報
【発明の概要】
【発明が解決しようとする課題】
【０００４】
しかしながら、従来の、走査方向に移動して媒体に印刷を行う印刷部と、該印刷部に接続されて該印刷部の移動に伴って移動するケーブル部と、を備える印刷装置においては、印刷部の移動に伴って、ケーブル部が該ケーブル部の保持部において、ずれてしまう場合があった。  
特許文献１に開示される印刷装置は、ケーブル固定具（保持部）を備えている。しかしながら、フラットケーブルを平面で挟持するか、走査方向から見て湾曲した曲面で挟持するかであり、挟持力（保持力）が不十分であり、印刷部の移動に伴ってケーブル部がずれてしまう場合があった。
【０００５】
そこで、本発明の目的は、印刷部の移動に伴って移動するケーブル部を確り保持することである。
【課題を解決するための手段】
【０００６】
上記課題を解決するための本発明の第１の態様の印刷装置は、走査方向に移動し、媒体に印刷を行う印刷部と、一方の端部が前記印刷部と共に移動するように前記印刷部に接続され、他方の端部が移動しない固定部に接続されるケーブル部と、前記ケーブル部を保持する保持部と、を備え、前記保持部は、前記走査方向と交差する方向から見た場合に前記ケーブル部に対して突出した突出部と、前記走査方向と交差する方向から見た場合に前記ケーブル部に対して窪んだ陥没部と、を有し、前記突出部と前記陥没部とで前記ケーブル部を挟むことで該ケーブル部を保持することを特徴とする。
【０００７】
本態様によれば、保持部は、走査方向と交差する方向から見た場合にケーブル部に対して突出した突出部とケーブル部に対して窪んだ陥没部とを有し、突出部と陥没部とでケーブル部を挟むことで該ケーブル部を保持する。このような構成とすることで、ケーブル部を平面で挟持したり走査方向から見て湾曲した曲面で挟持したりする場合に比べて、突出部と陥没部とでケーブル部を強い挟持力で挟むことが可能になり、印刷部の移動に伴って移動するケーブル部を確り保持することが可能になる。
【０００８】
本発明の第２の態様の印刷装置は、前記第１の態様において、前記保持部における前記固定部側の端部には、前記ケーブル部の湾曲度合いを規制する規制部が設けられていることを特徴とする。
【０００９】
本態様によれば、保持部における固定部側の端部には、ケーブル部の湾曲度合いを規制する規制部が設けられている。このため、印刷部の移動に伴って移動するケーブル部が湾曲しすぎることによって損傷することを抑制することができる。  
なお、「固定部側の端部」とは、保持部におけるケーブル部と接触する接触部のうちの、固定部に接続される側のケーブル部と接触する該接触部の端部を意味する。  
また、「湾曲度合いを規制する規制部」とは、例えば、湾曲度合いを所定の曲率半径以上となるように規制する湾曲面などが挙げられる。
【００１０】
本発明の第３の態様の印刷装置は、前記第１又は第２の態様において、前記ケーブル部としてフレキシブルフラットケーブルを複数備え、前記保持部は、複数の前記フレキシブルフラットケーブルを重ねて挟むことを特徴とする。
【００１１】
本態様によれば、ケーブル部としてフレキシブルフラットケーブルを複数備え、保持部は複数のフレキシブルフラットケーブルを重ねて挟む。このため、複数のフレキシブルフラットケーブルにより印刷部を高度に制御できるとともに、複数のフレキシブルフラットケーブルを重ねて挟むことでケーブル部の占有面積を小さくすることが可能になる。
【００１２】
本発明の第４の態様の印刷装置は、前記第１から第３のいずれか１つの態様において、前記突出部及び前記陥没部は、湾曲面で構成されていることを特徴とする。
【００１３】
本態様によれば、突出部及び陥没部は湾曲面で構成されている。このため、突出部及び陥没部で挟持される挟持部においてケーブル部に無理な力が加わることを抑制できるとともにケーブル部の屈曲を緩やかにすることができる。したがって、挟持部におけるケーブル部の損傷を抑制することが可能になる。
【００１４】
本発明の第５の態様の印刷装置は、前記第４の態様において、前記陥没部の曲率半径は、前記突出部の曲率半径よりも大きいことを特徴とする。
【００１５】
本態様によれば、陥没部の曲率半径は、突出部の曲率半径よりも大きい。このため、ケーブル部の厚みが大きい場合や、複数のケーブル部をまとめて保持する場合においても、挟持部においてケーブル部の屈曲を緩やかにすることができる。したがって、このような場合においても、挟持部におけるケーブル部の損傷を抑制することが可能になる。
【図面の簡単な説明】
【００１６】
【図１】本発明の一実施例に係る印刷装置の概略斜視図。
【図２】本発明の一実施例に係る印刷装置の概略斜視図。
【図３】本発明の一実施例に係る印刷装置の概略正面図。
【図４】本発明の一実施例に係る印刷装置の概略側面図。
【図５】本発明の一実施例に係る印刷装置の内部構成を表す概略斜視図。
【図６】本発明の一実施例に係る印刷装置の内部構成を表す概略平面図。
【図７】本発明の一実施例に係る印刷装置の内部構成を表す概略背面図。
【図８】本発明の一実施例に係る印刷装置の内部構成を表す概略側面図。
【図９】本発明の一実施例に係る印刷装置のブロック図。
【図１０】本発明の一実施例に係る印刷装置の要部の概略斜視図。
【図１１】本発明の一実施例に係る印刷装置の要部の概略斜視図。
【図１２】本発明の一実施例に係る印刷装置の要部の概略斜視図。
【図１３】本発明の一実施例に係る印刷装置の要部の概略斜視図。
【図１４】本発明の一実施例に係る印刷装置の要部の概略平面図。
【図１５】本発明の一実施例に係る印刷装置の要部の概略斜視図。
【図１６】本発明の一実施例に係る印刷装置の要部の概略斜視図。
【図１７】本発明の一実施例に係る印刷装置の要部の概略斜視図。
【図１８】本発明の一実施例に係る印刷装置の要部の概略斜視図。
【発明を実施するための形態】
【００１７】
以下に、本発明の一実施例に係る印刷装置１について、添付図面を参照して詳細に説明する。  
最初に、本実施例の印刷装置１の概要について説明する。  
図１及び図２は本実施例に係る印刷装置１の概略斜視図であり、このうち図１は本実施例の印刷装置１の媒体の支持部としてのトレイ４が印刷開始位置にある状態、図２はトレイ４が媒体のセット位置にある状態を表している。また、図３は本実施例の印刷装置１の概略正面図である。そして、図４は本実施例の印刷装置１の概略側面図である。  
また、図５から図８は、印刷装置１の内部構成を表す概略図であり、印刷装置１を構成する構成部材の一部を省略して表している。このうち図５は印刷装置１の内部構成を表す概略斜視図、図６は印刷装置１の内部構成を表す概略平面図、図７は印刷装置１の内部構成を表す概略背面図、図８は印刷装置１の内部構成を表す概略側面図である。
【００１８】
図２から図４で表されるように、本実施例の印刷装置１は、媒体をトレイ４の支持面８で支持した状態で移動方向Ａに移動する媒体支持ユニット２を備えている。媒体支持ユニット２は、媒体の支持部であるトレイ４を有している。印刷装置１は、トレイ４に支持された媒体を移動方向Ａに搬送する媒体搬送部３を備えている。移動方向Ａは、方向Ａ１と、方向Ａ１と反対方向の方向Ａ２と、を含む方向である。また、トレイ４はステージ５に載置されている。トレイ４はステージ５と共に、回転レバー９を回転させることにより、高さ方向Ｃに移動する。また、媒体としては、テキスタイル（織物、布等）、紙、塩化ビニル樹脂など、種々の素材のものを用いることができる。
【００１９】
また、印刷装置１の本体内部にはインクを吐出して媒体に印刷を行うことが可能な印刷ヘッド７が備えられている。そして、本実施例の印刷装置１は、印刷ヘッド７が設けられたキャリッジ６を移動方向Ａと交差する走査方向Ｂに往復移動させることで、印刷ヘッド７を走査方向Ｂに往復移動させながら、印刷ヘッド７からトレイ４に支持された媒体にインクを吐出させて所望の画像を形成する。本実施例において、印刷ヘッド７を備えたキャリッジ６は、走査方向Ｂに移動可能であり、媒体にインクを吐出可能な吐出部（画像を印刷可能な印刷部）に相当する。  
なお、本実施例の印刷装置１は、図１及び図２中の手前側（左下方向）がトレイ４への媒体のセット位置（図２に対応）である。そして、図１及び図２中の奥側（右上方向）の印刷開始位置（図１に対応）まで移動方向Ａのうちの方向Ａ１に媒体をセットしたトレイ４を移動した後、移動方向Ａのうちの方向Ａ２にトレイ４を移動しながら印刷する。
【００２０】
また、図５から図８で表されるように、印刷装置１の本体内部には、不図示の液体収容部としてのインクカートリッジから印刷ヘッド７までインクを供給可能な液体供給部としてのチューブ１６が設けられている。上記のように、本実施例のキャリッジ６は走査方向Ｂに往復移動するが、チューブ１６は、該キャリッジ６の往復移動に伴ってチューブ摺動部１１において移動する構成になっている。
【００２１】
また、図６で表されるように、チューブ摺動部１１においてチューブ１６に沿って（平行して）配置されるようにケーブル部としてのフレキシブルフラットケーブル１７（以下、ＦＦＣ１７）が設けられている。ＦＦＣ１７は、キャリッジ６に設けられた保持部１０と、複数のチューブ保持部１８と、によりチューブ１６と共に保持され、キャリッジ６と基板１２とに各々の端部が接続されている。ここで、基板１２は印刷装置１に固定される固定部である。なお、本実施例の印刷装置１の要部である保持部１０についての詳細は後述する。
【００２２】
チューブ摺動部１１には、図５及び図６で表されるように、摺動シート３２が底面３９に貼られている。そして、チューブ１６及びＦＦＣ１７を保持したチューブ保持部１８が該摺動シート３２の上面を摺動することによって、チューブ１６及びＦＦＣ１７は、該キャリッジ６の往復移動に伴ってチューブ摺動部１１において移動する構成になっている。なお、チューブ保持部１８の下面は、摺動シート３２との摺動性が良くなるよう摺動シート３２に対する摩擦係数が小さくなる処理がなされている。
【００２３】
次に、本実施例の印刷装置１における電気的な構成について説明する。  
図９は、本実施例の印刷装置１のブロック図である。  
制御部１９には、印刷装置１の全体の制御を司るＣＰＵ２０が設けられている。ＣＰＵ２０は、システムバス２１を介して、ＣＰＵ２０が実行する各種制御プログラム等を格納したＲＯＭ２２と、データを一時的に格納可能なＲＡＭ２３と、に接続されている。
【００２４】
また、ＣＰＵ２０は、システムバス２１を介して、印刷ヘッド７を駆動する（インクを吐出させる）ためのヘッド駆動部２４と接続されている。  
また、ＣＰＵ２０は、システムバス２１を介して、モーター駆動部２５と接続されている。そして、モーター駆動部２５は、キャリッジモーター１５、媒体を搬送する（すなわち、媒体支持ユニット２を移動する）ために媒体搬送部３に設けられた搬送モーター２６、と接続されている。  
さらに、ＣＰＵ２０は、システムバス２１を介して、入出力部２７と接続されている。そして、入出力部２７は、印刷データ等のデータ及び信号の送受信を行うためのＰＣ２８と接続されている。
【００２５】
次に、本実施例の印刷装置１の要部であるチューブ摺動部１１について説明する。  
図１０は本実施例の印刷装置１の要部であるチューブ摺動部１１の概略斜視図であり、図１１から図１３はチューブ摺動部１１の一部の概略斜視図であり、図１４はチューブ摺動部１１の一部の概略平面図である。なお、図１０から図１４では、各構成部材の説明をする際にその形状が見やすいように、構成部材の一部を省略して表している。
【００２６】
本実施例のチューブ摺動部１１は、図１０で表されるように、底面３９の周囲に側面４１が形成された形状をしており、複数の部品を通すことが可能な孔部（孔部２９及び３０など）を側面４１に有する。なお、孔部としては、図１０及び図１１で表されるように、例えば、ＦＦＣ１７を通すことが可能な孔部２９と、チューブ１６を通すことが可能な孔部３０などが設けられている。
【００２７】
また、チューブ１６は、図１０及び図１２等で表されるように印刷ヘッド７から孔部３０に向かって保持部１０及び複数のチューブ保持部１８に保持されるとともに、図１３で表されるようにチューブ固定部３１を介して孔部３０の外側に通されている。なお、図１３では、複数（３つ）あるチューブ固定部３１の１つのみと、複数のチューブ１６のうちの一部のみと、を表しており、孔部３０から図１３中の左側に向けてチューブ１６が配置されている様子を表している。しかしながら、実際には、別のチューブ固定部３１を介して、孔部３０から図１３中の右側に向けてもチューブ１６が配置されている。
【００２８】
また、ＦＦＣ１７は、図１０及び図１２等で表されるように印刷ヘッド７から孔部２９に向かって保持部１０及び複数のチューブ保持部１８に保持されるとともに、図１３で表されるように孔部２９の外側に通され、基板１２に接続されている。
【００２９】
また、本実施例のチューブ摺動部１１では、底面３９における摺動シート３２が貼られた領域は、チューブ１６及びＦＦＣ１７を保持するチューブ保持部１８がチューブ１６及びＦＦＣ１７の移動に合せて摺動するので、摺動しやすいように水平面になっている。
【００３０】
次に、本実施例の印刷装置１の要部である保持部１０について説明する。  
図１５から図１７は、保持部１０の概略図である。このうち図１５は保持部１０がチューブ１６及びＦＦＣ１７を保持した状態を表している。また、図１６は保持部１０がチューブ１６のみを保持した状態（保持部１０を構成する第１部材３３を外した状態）を表している。また、図１７は保持部１０がチューブ１６及びＦＦＣ１７を保持した状態の概略斜視断面図を表している。  
そして、図１８は保持部１０を構成する第１部材３３の概略斜視図を表している。
【００３１】
図１５から図１７で表されるように、本実施例の保持部１０は、第１部材３３、第２部材３４及び第３部材３５で構成されている。そして、第１部材３３及び第２部材３４でＦＦＣ１７を挟持することで該ＦＦＣ１７を保持し、第２部材３４及び第３部材３５でチューブ１６を挟持することで該チューブ１６を保持している。
【００３２】
また、図１６で表されるように、第２部材３４のＦＦＣ保持面３８には、突出部１４が形成されている。なお、図１７で表されるように、該突出部１４は、走査方向Ｂと交差する方向である高さ方向Ｃから見た場合にＦＦＣ１７に対して突出している。  
また、図１８で表されるように、第１部材３３のＦＦＣ保持面３７には、陥没部１３が形成されている。なお、図１７で表されるように、該陥没部１３は、走査方向Ｂと交差する方向である高さ方向Ｃから見た場合にＦＦＣ１７に対して窪んでいる。  
なお、突出部１４及び陥没部１３は、図１７で表されるように、共に湾曲面で構成されており、これらによる挟持部４０において、接触するＦＦＣ１７が損傷し難くなっている。
【００３３】
さらに、図１７及び図１８で表されるように、第１部材３３のＦＦＣ保持面３７には、なだらかな円弧面で構成される湾曲面３６が形成されている。なお、湾曲面３６は保持面３７におけるキャリッジ６とは反対側（ＦＦＣ１７における基板１２に接続される側と接触する保持面３７の領域）に形成されている。  
湾曲面３６は、ＦＦＣ１７が湾曲しすぎないように湾曲度合いを規制する規制部としての役割をしており、キャリッジ６がホームポジション（待機位置）側にある場合（図６及び図１０参照）も、キャリッジ６がホームポジションとは反対側にある場合（図１４参照）も、チューブ摺動部１１において、ＦＦＣ１７が湾曲しすぎないように湾曲度合いを規制している。
【００３４】
ここで、本実施例の印刷装置１について、まとめると、本実施例の印刷装置１は、走査方向Ｂに移動し、媒体に印刷を行うキャリッジ６と、一方の端部がキャリッジ６に接続されるとともに他方の端部が基板１２に接続されキャリッジ６の移動に伴って移動する（一方の端部がキャリッジ６と共に移動するようにキャリッジ６部に接続され、他方の端部が移動しない基板１２に接続される）ケーブル部（ＦＦＣ１７）と、ＦＦＣ１７を保持する保持部１０と、を備えている。  
そして、保持部１０は、走査方向Ｂと交差する方向（高さ方向Ｃ）から見た場合にＦＦＣ１７に対して突出した突出部１４と、高さ方向Ｃから見た場合にＦＦＣ１７に対して窪んだ陥没部１３と、を有し、突出部１４と陥没部１３とでＦＦＣ１７を挟むことで該ＦＦＣ１７を保持する。このような構成とすることで、ケーブル部を平面で挟持したり走査方向Ｂから見て湾曲した曲面で挟持したりする場合に比べて、保持部１０は、突出部１４と陥没部１３とでＦＦＣ１７を強い挟持力で挟むことが可能になっている。このため、キャリッジ６の移動に伴って移動するＦＦＣ１７を確り保持することが可能になっている。  
ここで、本実施例のように、ケーブル部がＦＦＣのようにフラット面を有するものである場合には、「走査方向Ｂと交差する方向」とは、フラット面に対向する方向に突出部１４を陥没部１３に押し当てる構成となるように、「走査方向Ｂと交差する方向であって、フラット面方向に沿う方向」であることが好ましい。つまり、フラット面に沿う方向から見た場合にＦＦＣ１７に対して突出した突出部１４と、フラット面に沿う方向から見た場合にＦＦＣ１７に対して窪んだ陥没部１３と、でＦＦＣ１７を挟むようにすれば、フラット面に対向する方向に突出部１４を陥没部１３に押し当てる構成となる。なお、本実施例の印刷装置１では、図１７などで表されるように、高さ方向Ｃは、走査方向Ｂと交差する方向であって、フラット面方向に沿う方向に該当する。このため、図１７などで表されるように、突出部１４は高さ方向Ｃから見た場合にＦＦＣ１７に対して突出しているとともに陥没部１３は高さ方向Ｃから見た場合にＦＦＣ１７に対して窪んでおり、ＦＦＣ１７のフラット面に対向する方向に突出部１４を陥没部１３に押し当てる構成となっている。
【００３５】
また、上記のように、本実施例の保持部１０における基板１２側（固定部側）の端部には、ＦＦＣ１７の湾曲度合いを規制する規制部としての湾曲面３６が設けられている。このため、キャリッジ６の移動に伴って移動するＦＦＣ１７が湾曲しすぎることによって損傷することを抑制することができる構成になっている。  
なお、「固定部側の端部」とは、本実施例の第１部材３３の湾曲面３６が設けられている位置のように、保持部１０におけるケーブル部（ＦＦＣ１７）と接触する接触部（保持面３７）のうちの、固定部に接続される側のケーブル部と接触する該接触部の端部を意味する。  
また、「湾曲度合いを規制する規制部」とは、例えば、本実施例の湾曲面３６のように、湾曲度合いを所定の曲率半径以上となるように規制する湾曲面（曲率半径の大きい湾曲面に沿わせることで湾曲度合いを所定の曲率半径以上となるように規制する構成）などが挙げられる。湾曲面は簡単に構成できるというメリットがある。ただしこのような構成に限定されず、例えば、ケーブル部と点接触或いは面接触した状態で湾曲度合いを所定の曲率半径以上となるように規制する構成としてもよい。
【００３６】
また、本実施例の印刷装置１は、ケーブル部としてフレキシブルフラットケーブル１７（ＦＦＣ１７）を複数備えている。そして、保持部１０は、複数のＦＦＣ１７を重ねて挟むことが可能な構成になっている。このため、複数のフレキシブルフラットケーブル１７によりキャリッジ６（例えば印刷ヘッド７など）を高度に制御できるとともに、複数のフレキシブルフラットケーブル１７を重ねて挟むことでケーブル部の占有面積を小さくしている。また、複数のフレキシブルフラットケーブル１７を重ねて挟むことで１のフレキシブルフラットケーブル１７を挟む場合よりも反力が大きくなり、保持部１０における固定力が増すという効果もある。
【００３７】
また、図１６から図１８で表されるように、本実施例の突出部１４及び陥没部１３は、湾曲面で構成されている。このため、突出部１４及び陥没部１３で挟持される挟持部４０においてＦＦＣ１７に無理な力が加わることを抑制しているとともにＦＦＣ１７の屈曲を緩やかにしている。したがって、該挟持部４０におけるＦＦＣ１７の損傷を抑制することを可能にしている。
【００３８】
ここで、本実施例の保持部１０においては、陥没部１３の曲率半径Ｒ１は、突出部１４の曲率半径Ｒ２よりも大きい（図１７参照）。このため、ケーブル部の厚みが大きい場合や、複数のケーブル部をまとめて保持する場合においても、突出部１４及び陥没部１３で挟持される挟持部４０においてケーブル部の屈曲を緩やかにすることができる構成になっている。したがって、このような場合においても、挟持部４０におけるケーブル部の損傷を抑制することが可能になっている。  
なお、陥没部１３の曲率半径Ｒ１に対する突出部１４の曲率半径Ｒ２の大きさの比率は、使用するケーブル部の厚みや保持するケーブル部の数によって適切に調整することが好ましい。
【００３９】
ここで、保持部１０（突出部１４及び陥没部１３など）の構成は、本実施例の構成に限定されない。例えば、第１部材３３に陥没部１３を設けて第２部材３４に突出部１４を設ける代わりに、第１部材３３に突出部１４を設けて第２部材３４に陥没部１３を設けてもよい。  
また、ＦＦＣ１７の保持面３７及び３８を曲面と平面のみで形成することで、特に効果的にケーブル部の損傷を抑制することが可能になる。
【００４０】
なお、本発明は上記実施例に限定されることなく、特許請求の範囲に記載した発明の範囲内で種々の変形が可能であり、それらも本発明の範囲内に含まれることは言うまでもない。
【符号の説明】
【００４１】
１…印刷装置、２…媒体支持ユニット、３…媒体搬送部、４…トレイ、
５…ステージ、６…キャリッジ（印刷部）、７…印刷ヘッド、８…支持面、
９…回転レバー、１０…保持部、１１…チューブ摺動部、１２…基板（固定部）、
１３…陥没部、１４…突出部、１５…キャリッジモーター、１６…チューブ、
１７…ＦＦＣ（ケーブル部）、１８…チューブ保持部、１９…制御部、２０…ＣＰＵ、
２１…システムバス、２２…ＲＯＭ、２３…ＲＡＭ、２４…ヘッド駆動部、
２５…モーター駆動部、２６…搬送モーター、２７…入出力部、２８…ＰＣ、
２９…孔部、３０…孔部、３１…チューブ固定部、３２…摺動シート、
３３…第１部材、３４…第２部材、３５…第３部材、３６…湾曲面（規制部）、
３７…ＦＦＣ保持面、３８…ＦＦＣ保持面、３９…チューブ摺動部１１の底面、
４０…挟持部、４１…チューブ摺動部１１の側面、Ｒ１…陥没部１３の曲率半径、
Ｒ２…突出部１４の曲率半径
【図１】
2017109363.tif 000003
【図２】
2017109363.tif 000004
【図３】
2017109363.tif 000005
【図４】
2017109363.tif 000006
【図５】
2017109363.tif 000007
【図６】
2017109363.tif 000008
【図７】
2017109363.tif 000009
【図８】
2017109363.tif 000010
【図９】
2017109363.tif 000011
【図１０】
2017109363.tif 000012
【図１１】
2017109363.tif 000013
【図１２】
2017109363.tif 000014
【図１３】
2017109363.tif 000015
【図１４】
2017109363.tif 000016
【図１５】
2017109363.tif 000017
【図１６】
2017109363.tif 000018
【図１７】
2017109363.tif 000019
【図１８】
2017109363.tif 000020